(57)【要約】【課題】  住宅用分電盤において、破損しにくく、安価な構成で、分岐ブレーカを幹線バーから簡単に取り外す。【解決手段】  上下２列に配置された分岐ブレーカ４の間にブロック１２を介装し、幹線バー６に取り付ける。ブロック１２に、分岐ブレーカ４と相対する可撓部１７と、ドライバーＤが挿入される挿入孔１８とを形成する。可撓部１７にブレーカ４を押圧する押圧面１７ａを設け、押圧面１７ａの反対側に係合部１９を形成する。係合部１９は挿入孔１８の内側にドライバーＤと係合するカム面１９ａを備える。ドライバーＤを挿入孔１８に押し込み、カム面１９ａを介して可撓部１７をブロック１２の外側に変形させ、押圧面１７ａでブレーカ４を幹線バー６から押し出す。【選択図】        図２
2010226881.tif 000002
【特許請求の範囲】
【請求項１】
分電盤の幹線バーに接続されたブレーカの近傍にブロックを設置し、ブロックに、ブレーカと相対する可撓部と、操作部材が挿入される挿入孔と、操作部材に係合して可撓部をブロックの外側に変形させる係合部とを形成し、可撓部の変形によりブレーカを幹線バーから取り外すことを特徴とするブレーカ取外装置。
【請求項２】
前記挿入孔が幹線バーの板厚方向に形成され、前記係合部が挿入孔の内側に操作部材と係合するカム面を備えた請求項１記載のブレーカ取外装置。
【請求項３】
前記可撓部がブレーカを押圧する押圧面を備え、前記係合部が押圧面と反対側の可撓部に形成されている請求項１または２記載のブレーカ取外装置。
【請求項４】
前記ブロックが幹線バーの両側縁に接続されたブレーカの間において幹線バーに取り付けられている請求項１〜３の何れか一項に記載のブレーカ取外装置。
【請求項５】
前記ブロックに可撓部、挿入孔および係合部がブレーカと同じ数だけ設けられている請求項４記載のブレーカ取外装置。
【発明の詳細な説明】
【技術分野】
【０００１】
本発明は、分電盤の幹線バーからブレーカを取り外す装置に関する。
【背景技術】
【０００２】
従来、幹線バーにプラグイン方式の分岐ブレーカを配列した住宅用分電盤が知られている。例えば、特許文献１、２には、複数の分岐ブレーカを幹線バーの上下に２列配置し、各列の間にブレーカ取外装置を設けた分電盤が記載されている。
【０００３】
従来のブレーカ取外装置５１は、図７に示すように、支持部材５２に操作部材５３を軸着し、操作部材５３の係止部５４でブレーカ５５の突起５６を係止し、操作部材５３を回動し、その押出部５７でブレーカ５５の接点５８を幹線バー５９から押し出すように構成されている。
【先行技術文献】
【特許文献】
【０００４】
【特許文献１】特開２００４−１４７３７５号公報
【特許文献２】特開２００４−１４７３７６号公報
【発明の概要】
【発明が解決しようとする課題】
【０００５】
ところが、従来のブレーカ取外装置５１によると、操作部材５３の回動によりブレーカ５５を取り外しているので、次のような問題点があった。
（ａ）操作部材５３の係止部５４、押出部５７、軸部６０が早期に破損しやすい。
（ｂ）幅狭のブレーカ５５を複数配列した場合に、操作部材５３の間隔が狭くなり、これを回動しにくくなる。
（ｃ）ブレーカ５５と同数の操作部材５３が必要になり、部品点数および組付工数が増え、取外装置５１の製作コストが高くつく。
【０００６】
上記問題点に鑑み、本発明の目的は、破損しにくく、操作が簡単で、安価に製作できるブレーカ取外装置を提供することにある。
【課題を解決するための手段】
【０００７】
上記課題を解決するために、本発明は次のような手段を提供する。
（１）分電盤の幹線バーに接続されたブレーカの近傍にブロックを設置し、このブロックに、ブレーカと相対する可撓部と、操作部材が挿入される挿入孔と、操作部材に係合して可撓部をブロックの外側に変形させる係合部とを形成し、可撓部の変形によりブレーカを幹線バーから押し出すことを特徴とするブレーカ取外装置。
【０００８】
（２）挿入孔が幹線バーの板厚方向に形成され、係合部が挿入孔の内側に操作部材と係合するカム面を備えたブレーカ取外装置。
（３）可撓部がブレーカを押圧する押圧面を含み、係合部が押圧面と反対側の可撓部に形成されているブレーカ取外装置。
【０００９】
（４）ブロックが幹線バーの両側縁に接続されたブレーカの間において幹線バーに取り付けられているブレーカ取外装置。
（５）ブロックに可撓部、挿入孔および係合部がブレーカと同じ数だけ設けられているブレーカ取外装置。
【発明の効果】
【００１０】
本発明のブレーカ取外装置によれば、ブロックの可撓部をドライバー等の操作部材で変形させ、ブレーカを簡単に取り外すことができるうえ、軸着部をなくして破損を防止できるとともに、装置全体を一つのブロックで安価に製作できるという効果がある。
【図面の簡単な説明】
【００１１】
【図１】本発明の一実施形態を示す住宅用分電盤の正面図である。
【図２】この分電盤のブレーカ取外装置を示す図１のＡ−Ａ線部分断面図である。
【図３】ブレーカ取外装置の外観を示す斜視図である。
【図４】ブレーカ取外装置の作用を示す断面図である。
【図５】本発明の変更例を示すブレーカ取外装置の断面図である。
【図６】本発明の別の変更例を示すブレーカ取外装置の断面図である。
【図７】従来のブレーカ取外装置を示す側面図である。
【発明を実施するための形態】
【００１２】
以下、本発明の実施形態を図面に基づいて説明する。図１に示すように、この住宅用分電盤１は、ケース２の内部に一つの主幹ブレーカ３と、複数のプラグイン方式の分岐ブレーカ４とを装備している。主幹ブレーカ３は３本の接続バー５で同数枚の幹線バー６に接続され、幹線バー６の上下両側縁に分岐ブレーカ４が２列に配置されている。
【００１３】
分岐ブレーカ４は、一次側端部が幹線バー６の側縁部に着脱自在に接続され、二次側端部がネジ７でベースパネル８に取り付けられている。そして、上下の分岐ブレーカ４の間にブレーカ取外装置１１が装着され、ネジ７を外した状態で、ドライバー等の操作部材を用いて所要の分岐ブレーカ４を幹線バー６から取り外すようになっている。
【００１４】
図２に示すように、分岐ブレーカ４の一次側端面４ａには端子溝９が形成され、端子溝９に幹線バー６に接続される接点１０が設けられている。ブレーカ取外装置１１は合成樹脂やゴム等の可撓性絶縁材料からなるブロック１２を備え、ブロック１２が上段の幹線バー６の手前側において、上下の分岐ブレーカ４の相対向する一次側端面４ａ間に介装されている。このため、ブロック１２を一次側端子の防塵カバーとしても機能させることができる。
【００１５】
図３（ａ）に示すように、ブロック１２は幹線バー６の延長方向に長い直方体形に成形され、ブロック１２の幅方向中央に複数の底付穴１３が設けられている。ブロック１２の下面には、底付穴１３と同軸に突起１４が形成され、底付穴１３に挿入したドライバーＤ（図２参照）で突起１４を幹線バー６の取付穴１５に圧入することで、ブロック１２が幹線バー６に取り付けられる。
【００１６】
図２、図３（ｂ）に示すように、ブロック１２の上下両側には、分岐ブレーカ４の一次側端面４ａに相対する可撓部１７と、ドライバーＤが挿入される挿入孔１８と、ドライバーＤに係合して可撓部１７をブロック１２の外側に変形させる係合部１９とがブレーカ４と同じ数だけ形成されている。挿入孔１８は幹線バー６の板厚方向に形成され、上下の挿入孔１８の間に案内壁２０が設けられている。
【００１７】
可撓部１７はブロック１２に一体形成され、隣接する可撓部１７がブロック１２のスリット１６で相互に分離されている。可撓部１７の基端はブロック１２の肩部１２ａに接続され、可撓部１７の先端側に分岐ブレーカ４の一次側端面４ａを押圧する押圧面（湾曲面）１７ａがブロック１２の外面に含まれるように形成されている。
【００１８】
係合部１９は、押圧面１７ａと反対側の可撓部１７に一体的に設けられ、挿入孔１８の内側にドライバーＤと係合するカム面１９ａを備えている。カム面１９ａは、幹線バー６に接近するほど挿入孔１８の内側に迫り出す斜状に形成され、ドライバーＤの押圧力を受けて、可撓部１７をブレーカ４側へ弾性的に変形させるようになっている。なお、カム面１９ａの形状は、図示例の段付傾斜面に限定されず、連続傾斜面や湾曲面など適宜に変更することができる。
【００１９】
上記構成のブレーカ取外装置１１において、分岐ブレーカ４を取り外す場合には、まず、オペレータは取り外したいブレーカ４のネジ７（図１参照）を外し、二次側端部をベースパネル８から取り外す。次に、図４（ａ）に示すように、そのブレーカ４の一次側端部と対応する位置の挿入孔１８にドライバーＤを差し込み、案内壁２０に沿って幹線バー６側に押し込む。
【００２０】
すると、図４（ｂ）に示すように、ドライバーＤの先端部がカム面１９ａに係合し、可撓部１７がブロック１２の外側に変形する。そして、押圧面１７ａが一次側端面４ａを押圧し、ブレーカ４を幹線バー６から外側へ押し出す。この状態で、オペレータはブレーカ４を分電盤１から取り外し、ドライバーＤを挿入孔１８から抜き取ると、可撓部１７が自身の弾性で原位置に復帰する。
【００２１】
したがって、オペレータはドライバーＤを用いた簡単な操作で、分岐ブレーカ４を幹線バー６から取り外すことができる。可撓部１７は、ブロック１２に一体形成されているので、繰り返し変形させた場合でも、破損するおそれが少なく、ブレーカ取外装置１１の寿命が向上する。また、全体が一つのブロック１２で構成されているため、特に２列のブレーカ配置において、部品点数および組付工数を減らし、取外装置１１を安価に製作できる利点もある。
【００２２】
本発明は上記実施形態に限定されるものではなく、以下に例示するように、発明の趣旨を逸脱しない範囲で、各部の構成や形状を適宜に変更して実施することも可能である。
（イ）可撓部１７を変形させる操作部材は、ドライバーＤに限定されず、これに類似する形状の工具やその他の部材を使用できる。
（ロ）また、専用の操作部材をブロック１２に常設しておくことも可能である。例えば、図５に示すように、ブロック１２にボタン２１を挿入孔１８の内側で昇降可能に支持し、ボタン２１の操作により可撓部１７を変形させることができる。
【００２３】
（ハ）挿入孔１８の形状は、円形に限定されず、四角形、多角形、長円形など、任意に変更できる。
（ニ）また、２列のブレーカ配置において、一つの挿入孔を共用することも可能である。例えば、図６に示すように、相対向する２つのブレーカ４に共通する挿入孔２２を設け、取り外したい方のブレーカ４のみネジ７（図１参照）を外し、適宜形状の操作部材２３を挿入孔２２に押し込み、一方の可撓部１７のみを変形させることができる。
【００２４】
（ホ）係合部１９の形成部位は、可撓部１７に限定されず、案内壁２０やブロック１２の底部など、操作部材に係合可能な任意の部位に変更できる。
（ヘ）ブロック１２の取付場所は、幹線バー６に限定されず、ベースプレート８またはブレーカ４の近傍部品など、分電盤１の固定部位に設置することも可能である。
（ト）ブレーカ取外装置１１は、２列のブレーカ配置に限定されず、片側１列のブレーカ配置に適用することもでき、複数のブレーカが分散配置された分電盤に装備することも可能である。
【符号の説明】
【００２５】
１    住宅用分電盤
４    分岐ブレーカ
６    幹線バー
１１    ブレーカ取外装置
１２    ブロック
１７    可撓部
１７ａ    押圧面
１８    挿入孔
１９    係合部
１９ａ    カム面
Ｄ    ドライバー
【図１】
2010226881.tif 000003
【図２】
2010226881.tif 000004
【図３】
2010226881.tif 000005
【図４】
2010226881.tif 000006
【図５】
2010226881.tif 000007
【図６】
2010226881.tif 000008
【図７】
2010226881.tif 000009